(57)【特許請求の範囲】
【請求項１】
背もたれが、背板とその後ろに配置されたバックサポートとを有しており、前記背板は、当該背板とバックサポートとに形成した上下複数段の係合手段によって、前記バックサポートに前向き移動不能に保持されている椅子であって、
前記上下複数の係合手段のうち少なくとも一部の段の係合手段が、前記背板を下向き動させることによって互いに嵌合し、かつ、前記背板をバックサポートに向けて手前から押し付けることによっても互いに噛み合う雄型係合部と雌型係合部とで構成されており、前記雄型係合部と雌型係合部とは、互いに噛み合うと前後には離反不能になっており、
かつ、前記雄型係合部と雌型係合部とのうちいずれか一方又は両方に、背板をバックサポートに向けて前から押し付けたときに互いに噛み合うことを誘い込む傾斜ガイド部を形成している、
背もたれ付き椅子。
【請求項２】
前記雄型係合部は、弾性変形しないボス部とその先端に一体に設けた舌状の係止片とを有しており、前記係止片が窄まり変形することで前記雌型係合部との噛み合いが許容されている、
請求項１に記載した背もたれ付き椅子。
【発明の詳細な説明】
【技術分野】
【０００１】
本願発明は、背もたれ付き椅子に関するものである。
【背景技術】
【０００２】
椅子の背もたれとして、シェル状等の樹脂製背板（背インナーシェル）をシェル状やフレーム状の等のバックサポートに取付けた構造のものがある。この場合は、一般に、背板の前面にはクッションを張っている。
【０００３】
そして、背板は、一般にビスを使用せずにバックサポートに取付けできるようにしており、その例として特許文献１では、バックサポート（外シェル１２）の前面に茸形の多数の係合突起を設ける一方、背板（インナーシェル）には、係合突起に対応した係合穴を設けている。この特許文献１では、インナーシェルをバックサポートに前から押し当てると、係合穴の内周縁が弾性変形することにより、係合爪が係合穴に嵌合する。特許文献１と同様の構成は特許文献２にも開示されている。
【０００４】
他方、特許文献３には、背板をバックサポートに重ねて下向きにスライドさせることによって、当該背板を落下不能に保持し、次いで、背板をバックサポートに押し付けることにより、背板をバックサポートに連結させる構成が開示されている。すなわち、この特許文献３では、背板の背面に下向き鉤状の係合爪（フック４３）を形成する一方、バックサポートには上向き鉤状の係合爪（フック３６）を形成し、これら係合爪を噛み合わせており、更に、バックサポートに取付けたダボに背板の穴を嵌め込んでいる。
【先行技術文献】
【特許文献】
【０００５】
【特許文献１】特許第３１４９０５１号公報
【特許文献２】特開２００５−２１１２５０号公報
【特許文献３】実開平７０３３１４８号のＣＤ−ＲＯＭ
【発明の概要】
【発明が解決しようとする課題】
【０００６】
さて、背板はバックサポートから取り外すことがある。従って、背板は、バックサポートに対して前向き動不能に保持されつつ、容易に取り外しできるのが好ましい。しかし、特許文献１，２のように、背板を手前から押し当てることによってバックサポートに取り付ける方式では、取付け状態の維持と取り外しの容易性とはいずれも係合爪と係合穴との引っ掛かりの程度に依存しているため、背板をバックサポートに対して前向き動不能に保持する機能と、背板を簡単に取り外す機能とが相反するという問題がある。
【０００７】
また、特許文献１，２では、多数の係合爪の群と係合穴の群とを正確に位置合わせてしてから、背板をバックサポートに対して押しつけねばならないが、係合爪の群を係合穴の群に位置合わせするのが面倒であるため、取付けが厄介であるという問題もある。
【０００８】
他方、特許文献３の発明は、背板を下向き動させると、当該背板に形成した係合爪とバックサポートに形成した係合爪とが嵌まり合い、これによって背板の上端部はバックサポートから手前側に離反不能に保持され、その状態で背板をバックサポートに向けて押し付けると、背板の係合穴がバックサポートのダボに嵌まり、これによって背板は上向き動不能に保持される。
【０００９】
しかし、特許文献３の場合、背板をバックサポートから前向きに離反しないように保持する機能はダボの弾性力に依存しており、このため、背板の下端に手を当てて手前に引くと、背板がバックサポートから外れてしまうという問題がある。
【００１０】
本願発明はこのような現状を改善すべく成されたものである。
【課題を解決するための手段】
【００１１】
請求項１の発明に係る椅子は、背もたれが、背板とその後ろに配置されたバックサポートとを有しており、前記背板は、当該背板とバックサポートとに形成した上下複数段の係合手段によって、前記バックサポートに前向き移動不能に保持されている構成であって、
まず、前記上下複数の係合手段のうち少なくとも一部の段の係合手段が、前記背板を下向き動させることによって互いに嵌合し、かつ、前記背板をバックサポートに向けて手前から押し付けることによっても互いに噛み合う雄型係合部と雌型係合部とで構成されており、前記雄型係合部と雌型係合部とは、互いに噛み合うと前後には離反不能になっている。
【００１２】
更に、請求項１では、前記雄型係合部と雌型係合部とのうちいずれか一方又は両方に、背板をバックサポートに向けて前から押し付けたときに互いに噛み合うことを誘い込む傾斜ガイド部を形成している。
【００１３】
請求項２の発明は、請求項１において、前記雄型係合部は、弾性変形しないボス部とその先端に一体に設けた舌状の係止片とを有しており、前記係止片が窄まり変形することで前記雌型係合部との噛み合いが許容されている。
【発明の効果】
【００１４】
本願発明では、雄型係合部と雌型係合部とはいったん嵌合すると前後には離反しないため、背板はバックサポートに対して離反不能に保持される。そして、雄型係合部と雌型係合部とは、背板を下向きにずらし移動させることで噛み合わせることができるが、仮に、ずらし移動によって雄型係合部と雌型係合部とが噛み合っていなくても、背板をバックサポートに向けて押し付けることにより、雄型係合部と雌型係合部とを噛み合わせることができるため、一々背板をセットし直すような手間と不要であり、このため、背板の取付けを簡単に行える。
【００１５】
更に述べると、例えば、ユーザーのように不慣れな人が背板をバックサポートに取り付ける場合、例えば、複数段の係合手段のうち一部の段だけが噛み合っているが他の段は噛み合っていないということがあるが、この場合でも、本願発明では、背板をバックサポートに対して強く押し付けることにより、雄型係合部と雌型係合部とを噛み合わせることができるのであり。また、背板を上向き移動させると雄型係合部と雌型係合部との噛み合いは解除されるため、取り外しは簡単に行える。請求項２のように傾斜ガイド部を設けると、取付け作業がより一層容易になる。
【００１６】
また、背板を下向きにスライドさせることでバックサポートに取付けようとした場合、第１雌雄契合部と第２周係合部とを想定して、第１雄型係合部と第１雌型係合部とは嵌まり合っているものの、第２雄型係合部と第２雌型係合部とが嵌まり合わない事態も予想されるが、この場合、本願発明ではいったん背板を上向きに持ち上げて再度下向きにスライドし直すという作業は不要であり、背板をバックサポートに向けて押し付けることで第２雄型係合部と第２雌型係合部とを噛み合わせることができる。つまり、背板を持ち上げて第１雄型係合部と第１雄型係合部とを嵌合させ直すことなく、背板をバックサポートに取り付けることができ。この点においても、背板は取付けが簡単である。
【００１７】
雄型係合部と雌型係合部とは様々な形状を選択できるが、請求項２のように舌状の係止片を有する形態を採用すると、噛み合わせを軽い力で行えると共に、雌型係合部にしっかりと噛み合わせることができて好適である。すなわち、舌状であると変形が容易であるため、雌型係合部との噛み合わせを軽い力で行うことができ、また、舌状であると大きな変形量を確保できるため、雌型係合部との引っ掛かり代を大きく取ることができて、しっかりと噛み合わせることができる。
【００１８】
また、撓み変形しないボス体に左右一対の係止片を設けて、左右の係止片を雌型係合部に噛み合わせることも可能であり、このように左右の係止片を採用することにより、雌型係合部との噛み合い状態がより一層確実にある。つまり、一方の係止片がずれて雌型係合部から外れようとすると、他方の係止片は雌型係合部にしっかりと噛み合う状態になるため、雄型係合部は雌型係合部に噛み合った状態に保持されるのである。
【図面の簡単な説明】
【００１９】
【図１】椅子の外観図であり、（Ａ）は前方から見た斜視図、（Ｂ）は後ろから見た斜視図、（Ｃ）は側面図である。
【図２】椅子の分離斜視図である。
【図３】クッションを省略した状態での背もたれの外観図であり、（Ａ）は前方から見た斜視図、（Ｂ）は側面図、（Ｃ）は後ろから見た斜視図である。
【図４】（Ａ）は背もたれの背面部を下方から見た斜視図、（Ｂ）は分離側面図である。
【図５】背もたれを後ろから見た分離斜視図である。
【図６】背もたれの構成要素を分離して後ろから見た分離斜視図である。
【図７】（Ａ）（Ｂ）とも背もたれの分離斜視図である。
【図８】メインメンバーを裏返してバックサポートと並べた正面図である。
【図９】（Ａ）はメインメンバーとバックサポートとの分離斜視図、（Ｂ）はバックサポートの下部の部分斜視図、（Ｃ）はメインメンバーの下部の部分斜視図である。
【図１０】（Ａ）はメインメンバーの部分背面図、（Ｂ）はメインメンバーを後ろから見た部分斜視図、（Ｃ）はクッションの端部の部分正面図、（Ｄ）はクッションの取付け態様を示す平断面図である。
【図１１】（Ａ）はバックサポートの部分正面図、（Ｂ）はバックサポートを前から見た部分斜視図、（Ｃ）はバックシートの端部の部分正面図、（Ｄ）はバックシートの取付け態様を示す平断面図である。
【図１２】（Ａ）（Ｂ）とも要部の分離斜視図である。
【図１３】（Ａ）は背もたれの左右中央部で切断した分離図、（Ｂ）は継手の斜視図である。
【図１４】（Ａ）は背もたれの左右中央部での側断面図、（Ｂ）はトップメンバーの側端部の斜視図、（Ｂ）はトップメンバーの側端部の底面図である。
【図１５】レバーの配置箇所の側断面図である。
【図１６】レバーの箇所を表示した図であり、（Ａ）は破断斜視図、（Ｂ）は係合解除状態での側断面図である。
【図１７】レバーの配置箇所における分離断面図である。
【発明を実施するための形態】
【００２０】
次に、本願発明の実施形態を図面に基づいて説明する。本実施形態は、事務用に多用されている回転式ロッキング椅子に適用している。本願では、方向を特定するため「前後」「左右」といった文言を使用するが、これは、普通の姿勢で着座した人の向きを基準にしている。正面視は着座した人と対向した方向になる。
【００２１】
(1).椅子の概要
まず、主として図１〜６を参照して椅子の概要を説明する。図１に示すように、椅子は、大きな要素として脚１と座２と背もたれ３とを備えている。脚１は、放射方向に延びる枝足を有しているが図示は省略しており、ガスシリンダよりなる脚支柱４のみを表示している。脚支柱４の上端にはベース５が固定されており、ベース５の上方に座２が配置されている。
【００２２】
図２に示すように、座２は、樹脂製の座インナーシェル（座板）６とその上面に張った座クッション７とから成っており、図２に示す中間支持体８に前後位置調節可能に取付けられている。中間支持体８の前部は、フロントリンク９を介してベース５の前部に連結されており、フロントリンク９は、側面視でベース５と中間支持体８との両方に対して相対回動する。従って、フロントリンク９が回動することにより、中間支持体８及び座２は上下動しながら前後動する。
【００２３】
背もたれ３は、着座者の体圧がかかるシェル状の背板（背インナーシェル）１０と、これが取付けられたシェル状のバックサポート（背アウターシェル）１１とを有しており、背板１０の前面に背クッション１２が張られている。背クッション１２は、クロス等の表皮材１３で前から覆われている。そして、図２に明示するように、背板１０は、バックサポート１１の手前に配置されたメインメンバー１４と、その上に重ね配置されたトップメンバー１５との２つの部材（パーツ）で構成されている。両メンバー１４，１５は、樹脂の成形品である。
【００２４】
本実施形態では、メインメンバー１４が背もたれ３の大部分を占めて、トップメンバー１５は背もたれ３の上部を構成している。もとより、メインメンバー１４とトップメンバー１５との高さの比率や実際の寸法は任意に設定できる。メインメンバー１４の前面とトップメンバー１５の前面は、滑らかに連続している。従って、着座した人は、一体構造の背もたれと同様に違和感なく凭れる掛かることができる。本実施形態のトップメンバー１５は、後ろに曲がって下向きにＵターンした形状をしており、従って、おおよそ下向き開口Ｕ字に近い側面視形態になっている。
【００２５】
背板１０におけるメインメンバー１４の上端とバックサポート１１の上端とは略同じ高さになっており、背板１０のトップメンバー１５はバックサポート１１の上面に重なっている。そして、背板１０のトップメンバー１５は、バックサポート１１の上部後方に回り込むようにオーバーハングしている。
【００２６】
図３に明示するように、バックサポート１１の下端には、前向きに延びる左右一対のアーム１６が一体に形成されており、左右のアーム１６は、門形のジョイント１７で連結されている。そして、左右のアーム１６は、その前端部を中心にして後傾するようにベース５に連結されており、かつ、左右のアーム１６は、金具１８（図１（Ｂ）に僅かに露出している。）を介して中間支持体８の後部と連結している。このため、背もたれ３が後傾すると、中間支持体８（座２）は金具１８に引かれて後退しつつ上昇する。ベース５の後部には、ロッキングに対して抵抗を付与する弾性体が配置されている。
【００２７】
バックサポート１１の下端部は、アーム１６の付け根よりも下方に突出している。また、バックサポート１１の下部の背面には、ロアカバー１９が装着されている。バックサポート１１は後ろからバックシート２０で覆われており、ロアカバー１９もバックシート１１で覆われている。なお、アーム１６はバックサポート１１とは別部材に構成することも可能である。図１（Ａ）に示すように、表皮材１３の上部に後ろ向き引き込み部２１を設けている。
【００２８】
(2).メインメンバー
以下、背もたれ３の詳細を説明する。まず、図７〜１１を中心にして、メインメンバー１４とバックサポート１１とを説明する。図８に明示するように、バックサポート１１とメインメンバー１４とは上端の横幅より下端の横幅が小さい形状であり、従って、両者とも正面視で逆台形の形状を成している。例えば図７（Ｂ）に明示するように、バックサポート１１とメインメンバー１４とは、いずれも平面視で前向き凹状に緩い曲率で湾曲しており、かつ、両者とも着座者の腰部が当たる部分が最も前に位置するように側面視で前向き凸状に湾曲している。
【００２９】
例えば図２に示すように、メインメンバー１４の左右両側部には、前向きに突出した角形のサイド突条２３が形成され、メインメンバー１４の下端にも、前向きに突出した角形のボトム突条２４が形成されている。両突条２３，２４は互いに連続している。両突条２３，２４は、後ろ向きに開口してチャンネル状の形態を成している。
【００３０】
例えば図１０（Ｄ）に示すように、背クッション１２はサイド突条２３及びボトム突条２４の内側に配置されており、従って、サイド突条２３とボトム突条２４とは、補強機能と背クッション１２の位置決め機能とを有している。背クッション１２を覆う表皮材１３はメインメンバー１４の後ろに巻き込まれており、表皮材１３の端縁はバックサポート１１で隠れている。
【００３１】
そして、表皮材１３の端縁には、樹脂板のような帯板状の縁板２５が縫着や接着等の手段で固定されている一方、メインメンバー１４の背面のうち突条２３，２４のやや内側に位置した部位には、キャッチ突起２６を適宜間隔で数形成しており、縁板２５に形成したキャッチ穴２７をキャッチ突起２６に嵌め込んでいる。なお、縁板２５は、その全体を表皮材１３に重ねた縫着しており、このため、表皮材１３は縫着部の箇所で折り返されている。
【００３２】
(3).バックサポート
例えば図７及び図８に示すように、バックサポート１１の左右両側縁は、略前向きに突出した側壁１１′になっており、また、バックサポート１１の下部には、メインメンバー１４におけるボトム突条２４の後ろに位置した左右横長のロアリブ３０が前向き突設されている。ロアリブ３０の下面には、多数の補強リブが連接されている。図１０（Ｄ）に示すように、バックサポート１１の側壁１１′は、メインメンバー１４におけるサイド突条２３の後ろに位置している。図１０（Ｄ）（及び図１１（Ｄ））では、表皮材１３と側壁１１′との間に空間が空いているが、表皮材１３はある程度の厚さがあるので、実際には側壁１１′の先端は表皮材１３に当接している。
【００３３】
バックサポート１１の前面には、アーム１６に連続する左右一対ずつの内側縦リブ３１及び外側縦リブ３２が前向きに突設されており、ロアリブ３０は、内側縦リブ３１に接続さている。また、左右の外側縦リブ３２の上端は上部水平リブ３３を介して連続しており、左右の内側縦リブ３１の上端は、下部水平リブ３４を介して連続している。また、下部水平リブ３４は、左右の外側縦リブ３２にも連続している。
【００３４】
これらのリブ３０〜３４は、補強機能を有すると共に、背板１０が着座者の体圧で後ろ向きに凹むように変形したときの変形量を規制するストッパーの役割も果たしている。また、内外の縦リブ３１，３２は、背板１０を取付ける機能も果たしている（この点は後述する）。
【００３５】
既述のように、バックサポート１１は、バックシート２０で後ろから覆われている。図１１（Ｃ）（Ｄ）に示すように、バックシート２０の周縁には樹脂板等の帯の縁板３５が逢着等で固定されている一方、バックサポート１１の前面のうち左右両側部には、キャッチ突起３６が上下適宜間隔で前向きに突設されており、縁板３５に空けたキャッチ穴３７をキャッチ突起３６に嵌め込んでいる。
【００３６】
(4).バックサポートへのメインメンバーの取付け手段
背板１０は、バックサポート１１に簡単に着脱できる。この点を、主として図９を参照して説明する。背板１０は、バックサポート１１に左右ずれ不能に保持する必要がある。そこで、背板１０を構成するメインメンバー１４の左右両側部と下部とに略角形の位置決め突起４２，４３を後ろ向きに突設して、上部位置決め突起４２は、バックサポート１１に設けた左右一対の上部挟持体４４の間に嵌め入れ、下部位置決め突起４３は、バックサポート１１における内外縦リブ３１，３２の間に嵌め入れている。
【００３７】
また、背板１０を前向き移動不能に保持する主係合手段として、メインメンバー１４のうち上部位置決め突起４２の外側に上部係合体４５を後ろ向きに突設し、この上部係合体４５の先端部に、平面視で傾斜した上部係合爪４６を一体に設けている一方、バックサポート１１の前面には、上部係止片４６が引っ掛かる平面視Ｌ形の上部係合受け部４７を形成している。上部係合受け部４７は、補強のため底板４７ａを設けている。上下係止片４６を有する上部係合体４５は、請求項に記載した雄型係合部に該当し、上部係合受け部４７は、請求項に記載した雌型係合部に相当する。
【００３８】
上部係止片４６は、手前に行くほど左右外側にずれるように平面視で傾斜した舌状の形態であり、このため、その先端が上部係合体４５に近づくように撓み変形し得る（弾性に抗して窄まり変形し得る。）。また、そして、背板１０が左右移動不能に保持された状態で、上部係合受け部４７と上部係合爪４６とが前後から噛み合っている。このため、背板１０は前向き離反不能に保持されている。
【００３９】
メインメンバー１４の背面のうち下部位置決め突起４３より下方の下端部には、下部係合体４８を後ろ向きに突設しており、この下部係合体４８に、平面視で傾斜した左右一対の下部係止片４９を一体に設けている。左右の下部係止片４９は舌状の形態であり、両者は手前に行くほど互いの間隔が広がるように傾斜している。すなわち、下部係合体４８と左右の下部係止片４９とで矢印形が形成されている。下部係止片４９も上部係止片４６と同様に、その付け根を中心に回動するように弾性に抗して撓み変形し得る。下部係止片４９を有する下部係合体４８も請求項に記載した雄型係合部の具体例である。
【００４０】
メインメンバー１４の下部係合体４８は、バックサポート１１における内外縦リブ３１，３２の間の溝に入り込む。そして、内外の縦リブ３１，３２に、下部係止片４９が後ろ側から当接する左右一対の下部係合受け部５０を相対向するように形成している。従って、下部係合受け部５０は請求項に記載した雌型係合部に該当する。
【００４１】
上下の係止片４６，４９は、基本的には、上からのずらし移動によって係合受け部４７，５０に噛み合わせる。しかし、図９に矢印Ａで示すように、メインメンバー１４をバックサポート１１に対して後ろ向きに押し付けることによっても、係合受け部４７，５０に係合させることができる。後者の場合は、係止片４６，４９を弾性変形させて、係合受け部４７，５０に引っ掛けることになる。そして、両係止片４６，４９は釣り針の返りのような形態であるため、いったん受け部４７，５０に噛み合うと手前に引き移動させることはできない。
【００４２】
背板１０は、上部係合手段により、メインメンバー１４の上端部においても、バックサポート１１に対して左右動不能及び下向き移動不能に保持されている。すなわち、例えば図９に示すように、メインメンバー１４の上端のうち左右両端寄り部位に後ろ向きの上端突起５３と、上端突起５３に連続した上下開口の外枠部５４とを後ろ向きに突設している一方、バックサポート１１には、上端突起５３が嵌まる上端凹部５５と、外枠部５４が嵌まる雄型受け部（ストッパー）５８とが形成されている。雄型受け部５８の下方には、前後に開口した内枠部５６が形成されている。
【００４３】
上端突起５３の上面は上フランジ６３になっており、他方、バックサポート１１における上端凹部５５の上部は、上フランジ６３が前から重なるよう段部５５ａになっている。また、メインメンバー１４の外枠部５４は、左右横長の前後横バー部５４ａ，５４ｂを有しており、前後横バー部５４ｂの間に雄型受け部５８が位置している。バックサポート１１の内枠部５６は、左右側板５７と上板５８と下面５９とを有していて上下に長い長方形の形態を成しており、かつ、既述のとおり前後に開口している。
【００４４】
メインメンバー１４のうち外枠部５４の真下部位には、トップメンバー１５を上向き動不能に保持する係合手段の一例して、アッパー係合爪６０が形成されている。アッパー係合爪６０は、弾性に抗して変形することにより、その下端を中心にして前後に回動し得る。他方、バックサポート１１における内枠部５６の内部のうち、上下中間位置よりやや上方の部位には、横長の支軸６１が一体に形成されており、この支軸６１に、例えば図１２（Ａ）に示すレバー６２が回動自在に取付けられている。
【００４５】
そして、背板１０はアッパー係合爪６０によって上向き移動不能に保持されると共に、レバー６２を回動操作することにより、雄型受け部５８に対するアッパー係合爪６０の係合（ストッパー機能）を解除することができる。この点は後述する。
【００４６】
例えば図１２に示すように、メインメンバー１４の上端には、後ろ向きに突出した庇状の上フランジ６３が形成されている。外枠部５４は、上フランジ６３に連続した状態に形成されている。他方、例えば図９（Ａ）に示すように、バックサポート１１の上端にも上フランジ６４が形成されている。内枠部５６は、上フランジ６４から少し突出している。
【００４７】
例えば図５に示すように、バックサポート１１の上部のうち左右の内枠部５６の間には、後ろ向き突出部６５が形成されている。後ろ向き突出部６５は、上フランジ６４に連続した背面板６６と、背面板６６及びバックサポート１１の基板に連続した下面板６７とを有しており、図４（Ａ）に示すように、下面板６７には、人が手先を差し込むことができる引手穴６８を設けている。このため、人は、バックサポート１１の後ろ向き突出部６５に手を掛けて椅子を引き移動させることができる。
【００４８】
(5).トップメンバーの構造及びメインメンバーとの関係
次に、従前の図に加えて図１５〜図１７も参照して、トップメンバー１５とその取付け構造を説明する。例えば図１３から理解できるように、トップメンバー１５は、メインメンバー１４の上フランジ６３及びバックサポート１１の上フランジ６４に対向する重合面７１を有しており、重合面７１の左右中間部と左右両端部とに第１下向き突起７２を設け、第１下向き突起７２を、メインメンバー１４の上フランジ６３に形成した位置決め穴７３に嵌め入れている。
【００４９】
図１２に示すように、トップメンバー１５の左右両側部には、メインメンバー１４のサイド突条２３に連続したトップ突条７５が形成されており、トップ突条７５の下端に第２下向き突起７６を設けている。他方、メインメンバー１４におけるサイド突条２３の上端は上向きに開口した筒状部７７になっており、この筒状部７７に第２下向き突起７６を嵌め入れている。なお、突起と筒状部との関係を逆にしてもよいし、別部材の継手で連結することも可能である。
【００５０】
トップメンバー１５の重合面７１は、その左右両端部が切欠かれた状態になっており、このため、トップメンバー１５の左右両側部には、上端近くまで延びる横向きのサイド凹所７８が開口している。そして、バックサポート１１の左右両端部に差し込み装着した上下長手のプラグ７９を、トップメンバー１５のサイド凹所７８に嵌め入れている。
【００５１】
例えば図９（Ａ）に示すように、バックサポート１１の左右両端部には、前向きに開口した溝形の耳部１１ａを形成しており、耳部１１ａに形成した蟻溝１１ｂに、継手７９の足部７９ａ（図１３（Ｂ）参照）が嵌め込まれている。フラグ７９における足部７９ａの下端には後ろ向きの爪７９ｂが形成されている一方、図９（Ａ）に示すように、バックサポート１１の耳部１１ａには、継手７９の爪７９ｂが下方から引っ掛かり係合する爪キャッチ１１ｃを前向きに突設している。
【００５２】
トップメンバー１５のううち重合面７１より上の部分には、軽量化及び樹脂の使用量節減のため、前向き開口の空所と後ろ向き開口の空所が多数形成されている。トップメンバー１５は相当の部分がバックサポート１１の後ろにオーバーハングしており、かつ、トップメンバー１５の後端には、バックサポート１１の後ろ向き突出部６５を後ろから覆う後ろ壁８０が形成されている。トップ突条７５は後ろ壁８０の下端まで延びており、更に、後ろ壁８０の下端には、トップ突条７５に連続したバック突条８１が形成されている。
【００５３】
背クッション１２は、メインメンバー１４から上向きに延びてトップメンバー１５も覆っている。従って、図１３（Ａ）に示すように、背クッション１２は、トップメンバー１５のバック突条８１まで延びている。そして、表皮材１３は後ろ壁８０の内面まで巻き込まれており、後ろ壁８０の内面に設けたキャッチ突起２６に縁板２５を嵌合している。図１２（Ａ）（Ｂ）から理解できるように、表皮材１３は、トップメンバー１５のサイド凹所７８にも入り込んでおり、サイド凹所７８の内壁７８ａに設けたキャッチ突起２６に縁板２５を嵌め込んでいる。このため、表皮材１３は、凹所７８の外側部において張った状態に保持されている。
【００５４】
図１３（Ａ）及び図１４（Ａ）に示すように、第１下向き突起７２は側面視で下窄まりのテーパ形状になっている一方、メインメンバー１４の位置決め穴７３は側面視で上向きに広がったテーパ状になっており、このため、第１下向き突起７２は、位置決め穴７３にスムースに誘い込まれる。第１下向き突起７２は係合爪８２を形成し、位置決め穴７３の背面部には補助係合穴８３を形成している。左右中間部の第１下向き突起７２では係合爪８２は後ろ向きに突出しており、左右両側の第１下向き突起７２では係合爪８２は前向きに突出している。
【００５５】
例えば図１２や図１５に示すように、トップメンバー１５のうち第１下向き突起７２の少し内側の部位には、ガイドリブ７４を設けている。ガイドリブ７４の前面は上に行くほど手前にずれるように傾斜しており、背板１０の取付けに際しては、ガイドリブ７４がバックサポート１１の雄型受け部５８に上から当たることにより、背板１０はバックサポート７に重なるように後ろ向き移動がガイドされる。
【００５６】
上記の係合爪８２が補助係合穴８３に嵌合していることにより、トップメンバー１５はメインメンバー１４に対して上向き離脱不能に保持されている。補助係合穴８３に対する係合爪８２の嵌合解除は、係合爪８２をマイナスドライバ等で押すことで行える。
【００５７】
(6).背板の係止構造
背板１０は、通常は、バックサポート１１に対して上向き離脱不能に保持されると共に、取り外しは容易に行える。この機能は、既述のレバー６２とアッパー係合爪６０と雄型受け部５８とを主要要素として達成される。この点を次に説明する。
【００５８】
図１５及び図１６（Ａ）は、背板１０がバックサポート１１に対して離脱不能に保持された状態を表示しており、この状態では、アッパー係合爪６０の上にバックサポート１１の雄型受け部５８が位置しているため、背板１０を上向き移動させることはできない。アッパー係合爪６０の上面には、雄型受け部５８の手前に位置したリブ（ストッパー）８４を形成しており、このためアッパー係合爪６０が後ろに向いて回動する姿勢が規制されている。
【００５９】
また、バックサポート１１における雄型受け部５８の上面は側断面視で円弧状になっており、上端にはリブ８５を突設している。雄型受け部５８のリブ８５の上面にトップメンバー１５の重合面７１が近接しており、かつ、雄型受け部５８のリブ８５の後ろに、外枠部５４における後部横バー５４ｂが位置している。また、後部横バー５４ｂは、トップメンバー１５における重合面７１の奥部に形成した前向き溝８６に嵌まっている。これにより、背板１０はバックサポート１１に対して上向き移動不能に保持されている。
【００６０】
アッパー係合爪６０は付け根部が細くなっており、このため、付け根を支点にして前後方向に回動するように弾性変形する。そして、アッパー係合爪６０の後面は、側面視で上に行くほど後退するように湾曲しており、かつ、上端には後ろ向きに突出した顎部８７が形成されており、顎部８７の後端に、下方及び後方に開口した切欠き部８８を形成している。
【００６１】
他方、レバー６２は、アッパー係合爪６０の後ろに配置された支軸６１に回動自在に取付けられている。すなわち、レバー６２のうち上下中間高さより僅かに上の部位に、後ろ向きに開口した軸受け溝穴８９を形成し、この軸受け溝穴８９を支軸６１に嵌め込んでいる。このため、レバー６２は支軸６１の軸心周りに回動し得る。
【００６２】
支軸６１は側面視で傾斜した姿勢の平板状部６１ａを有しており、レバー６２における軸受け溝穴８９のうち支軸６１の平板状部６１ａに対応した部位には、相対向する方向に突出する上下のストッパー９０を設けている。上下ストッパー９０の間の間隔は、平板状部６１ａの厚さより僅かに大きい寸法に設定している。
【００６３】
従って、レバー６２は、上端が後ろで下端が前になる傾斜姿勢とすることで支軸６１に取付けることができる。そして、レバー６２はバックサポート１１の内枠部５６で囲われており、いったん支軸６１に取付けると、上端が後ろで下端が前になる姿勢にすることはできない。従って、背もたれ３を組み立て状態では、レバー６２が支軸６１から外れることはない。
【００６４】
レバー６２の上端には、アッパー係合爪６０の切欠き部８８に嵌合可能な角部９１を形成している。そして、図１６（Ｂ）に示すように、レバー６２の下部に指先を当てて後ろに引くと、アッパー係合爪６０はその上端が前に押されることで弾性に抗して変形し、レバー６２を引き切ると、上端の角部９１でアッパー係合爪６０の切欠き部８８に嵌まり、アッパー係合爪６０は手前に回動した状態に保持される。レバー６２の回動によってアッパー係合爪６０が容易に変形するように、アッパー係合爪６０の上部後端は側面視で丸みを帯びている。
【００６５】
レバー６２によってアッパー係合爪６０が手前に回動した状態では、アッパー係合爪６０は、バックサポート１１の内枠部５６における上板５８の手前に位置しており、従って、メインメンバー１４を上に移動させることができる。換言すると、背板１０をバックサポート１１から取り外すことができる。
【００６６】
背板１０をバックサポート１１から取り外すと、レバー６２はほぼ鉛直姿勢に戻る。この状態では、レバー６２は雄型受け部５８の下方に位置している。そして、背板１０を、トップメンバー１５の重合面７１がバックサポート１１の上面に重なるようにずらし移動させると、アッパー係合爪６０は、内枠部５６における上板５８のガイド作用によっていったん手前に回動し、次いで、トップメンバー１５を下降させ切ると、アッパー係合爪６０は弾性復元力によって戻り変形し、その上端が雄型受け部５８の下方に位置する（この場合、既述のとおり、ガイドリブ７４により、背板１０はバックサポート１１に近づくようにガイドされる。）。
【００６７】
このように、背板１０は、バックサポート１１に対して離脱不能に保持されると共に、レバー６２を回動操作してバックサポート１１に対するメインメンバー１４の係合を解除するだけで、簡単に取り外すことができる。
【００６８】
(7).まとめ
トップメンバー１５は、予めメインメンバー１４に接続されて背板１０が構成されており、その状態で背クッション１２と表皮材１３とが取付けられている。そして、背板１０の取付けは、基本的には、外枠部５４を雄型受け部５８に上から嵌め込みむことで背板１０の上端をバックサポート１１に取付けつつ、上下係合体４５，４８の係止片４６，４９をバックサポート１１の係合受け部４７，５０に上から噛み合わせる、という方法で行われる。
【００６９】
この場合、外枠部５４は、雄型受け部５８に嵌合して背板１０が所定高さに保持されつつ、上下係合体４５，４８のうち両方又は下係合体４８が係合受け部４７，５０に噛み合っていないことが有り得る。この場合は、背板１０をバックサポート１１に向けて押し付けるだけで、背板１０をバックサポート１１に取付けできる。
【００７０】
すなわち、背板１０をバックサポート１１に押し付けると、係止片４６，４９は、係合体４５，４８に当接していったん弾性変形し、背板１０をバックサポート１１に押し付け切ると弾性復元力で戻り回動する、という挙動をとり、これにより、係止片４６，４９が係合受け部４７，５０の内側に位置して、背板１０は前向き移動不能に保持される。係止片４６，４９は平面視で傾斜した矢尻形の外観を呈しているため（すなわち傾斜ガイド面を有しているため）、係止片４６，４９は係合受け部４７，５０に嵌まり込むようにガイドされる。
【００７１】
なお、背板１０をバックサポート１１に重ねて下向きにスライドさせ、外枠部５４を内枠部５６に嵌め込むと共に、係止片４６，４９を上から係合受け部４７，５０に嵌め入れるという手順も採用可能である。
【００７２】
(8).その他
本願発明は、上記の実施形態の他にも様々に具体化できる。例えば適用対象は回転椅子に限定されず、固定式椅子などの各種の椅子に適用できる。また、背もたれがロッキングしない椅子にも適用できることはいうでもない。実施形態では、背板をメインメンバーとトップメンバーとの２つの部材で構成したが、背板は必ずしも複数のメンバーで構成する必要はなく、単一構造にすることも可能である。バックサポートは、例えば前後に開口したフレーム形状にするなど、種々の形態・構造を採用できる。
【００７３】
背板の取付け構造としては、その上端又は下端を先にバックサポートに引っ掛けて、それから上又は下を支点にして回動させることでバックサポートに押し付ける、という方法も採用できる。
【００７４】
雄型係合部及び雌型係合部も、種々の形態を採用可能である。例えば、第１雄型係合部としてボス状の突起を採用し、第１雌型係合部として係合穴を採用することも可能である。また、雄型係合部と雌型係合部とは両者を鉤状（爪状）の形態と成すことも可能である。つまり、雄型係合部と雌型係合部とは、いずれか一方又は両方の弾性に抗して噛み合う機能があれば足りるのである。
【産業上の利用可能性】
【００７５】
本願発明は、椅子に適用して有用性を発揮する。従って、産業上利用できる。
【符号の説明】
【００７６】
２  座
３  背もたれ
１０  背板（背インナーシェル）
１１  バックサポート（背アウターシェル）
１２  背クッション
１４  背板を構成するメインメンバー
１５  背板を構成するトップメンバー
４５  雄型係合部を構成する上部係合体
４６  雄型係合部を構成する係止片
４７  雌型係合部を構成する上部係合受け部
４８  雄型係合部を構成する下部係合体
５０  雌型係合部を構成する下部係合受け部
５４  上下係合部としての外枠体
５８  上下係合部としての雄型受け部
【図１】
0005676242.tif 000002
【図２】
0005676242.tif 000003
【図３】
0005676242.tif 000004
【図４】
0005676242.tif 000005
【図５】
0005676242.tif 000006
【図６】
0005676242.tif 000007
【図７】
0005676242.tif 000008
【図８】
0005676242.tif 000009
【図９】
0005676242.tif 000010
【図１０】
0005676242.tif 000011
【図１１】
0005676242.tif 000012
【図１２】
0005676242.tif 000013
【図１３】
0005676242.tif 000014
【図１４】
0005676242.tif 000015
【図１５】
0005676242.tif 000016
【図１６】
0005676242.tif 000017
【図１７】
0005676242.tif 000018